【手続補正書】
【提出日】平成17年12月8日(2005.12.8)
【手続補正１】
【補正対象書類名】明細書
【補正対象項目名】発明の名称
【補正方法】変更
【補正の内容】
【発明の名称】画像表示システム及びリモートコントロールシステム
【手続補正２】
【補正対象書類名】明細書
【補正対象項目名】特許請求の範囲
【補正方法】変更
【補正の内容】
【特許請求の範囲】
【請求項１】  第１の画像及び該第１の画像に対応する第１の画像信号に関連した画像表示装置と共に使用されるリモートコントロールシステムにおいて、第２の画像信号を伝送する送信機と、前記第１の画像と区別された前記第２の画像信号に対応する第２の画像を表示するディスプレイを有するリモートコントロールとから成ることを特徴とするリモートコントロールシステム。
【請求項２】  前記リモートコントロールは、学習機能を有するリモートコントロールであることを特徴とする請求項１に記載のリモートコントロールシステム。
【請求項３】  前記画像表示装置は、前記送信機を含んでいることを特徴とする請求項１に記載のリモートコントロールシステム。
【請求項４】  前記画像表示装置は、前記送信機を含んでいないことを特徴とする請求項１に記載のリモートコントロールシステム。
【請求項５】  前記第２の画像信号を前記送信機に出力する少なくとも１つの画像源をさらに含むことを特徴とする請求項１に記載のリモートコントロールシステム。
【請求項６】  前記第２の画像信号を複数の画像信号から選択する制御装置をさらに含むことを特徴とする請求項１に記載のリモートコントロールシステム。
【請求項７】  前記制御装置は、前記リモートコントロールからの制御信号に応答することを特徴とする請求項６に記載のリモートコントロールシステム。
【請求項８】  第１の画像信号を出力する第１の画像源と、第２の画像信号を出力する第２の画像源と、前記第１の画像源及び前記第２の画像源を接続して前記第１及び第２の画像信号から第１の選択画像信号と第２の選択画像信号を選択する第１の制御装置と、選択した前記第１の選択画像信号に対応する第１の画像を表示する画像表示装置と、前記第２の選択画像信号を送信する第１の送信機と、ビデオリモートコントロール（ＶＲＣ）とから成り、２つの異なる画像を表示することが出来る画像表示システムにおいて、前記ビデオリモートコントロールは、前記第１の送信機によって伝送された前記第２の選択画像映像信号を受信するＶＲＣ受信機と、前記第２の選択画像信号に対応するＶＲＣ画像を表示するＶＲＣ画像スクリーンと、ユーザにの入力に基づいて制御信号を生成するＶＲＣコントローラと、該制御信号を伝送するＶＲＣ送信機とを含み、前記第１の制御装置は、前記制御信号に応答し、前記画像表示装置の前記第１の画像と前記ＶＲＣ画像スクリーンの前記ＶＲＣ画像とが異なっていることを特徴とする画像表示システム。
【請求項９】  前記第１の画像源を含む画像装置をさらに含むことを特徴とする請求項８に記載の画像表示システム。
【請求項１０】  前記画像装置は、テレビジョンまたはビデオカセットレコーダ（ＶＣＲ）であることを特徴とする請求項９に記載の画像表示システム。
【請求項１１】  前記第１の画像源は、コンピュータネットワークであることを特徴とする請求項８に記載の画像表示システム。
【請求項１２】  前記第１の画像源は、前記第２の画像信号に伴う第１音声信号も受信することを特徴とする請求項８に記載の画像表示システム。
【請求項１３】  前記第１の送信機と前記ＶＲＣ受信機は、略５.１５ＧＨｚから５.８５ＧＨｚの範囲の周波数で動作することを特徴とする請求項８に記載の画像表示システム。
【請求項１４】  前記第１の送信機と前記ＶＲＣ受信機は、略０.８μｍから１.２μｍの範囲の波長で動作することを特徴とする請求項８に記載の画像表示システム。
【請求項１５】  前記ＶＲＣ画像スクリーンは、前記ユーザによる選択のために前記制御信号に対応する前記ＶＲＣコントローラの入力オプションを表示することを特徴とする請求項８に記載の画像表示システム。
【請求項１６】  前記ＶＲＣ画像スクリーンは、前記ユーザが該ＶＲＣ画像スクリーン部分に触ることにより前記入力オプションを選択出来るような接触感応スクリーンであることを特徴とする請求項１５に記載の画像表示システム。
【請求項１７】  前記ＶＲＣ画像スクリーン上の前記入力オプションの表示は、ソフトキーディスプレイであることを特徴とする請求項１５に記載の画像表示システム。
【請求項１８】  前記第１の送信機を含むドッキングステーションをさらに有することを特徴とする請求項８に記載の画像表示システム。
【請求項１９】  前記ドッキングステーションは、前記第２の送信機をさらに含むことを特徴とする請求項１８に記載の画像表示システム。
【請求項２０】  オリジナルリモートコントロールのオリジナルコマンドに対応するオリジナルコマンド信号であって、オリジナルリモートコントロールによって送られた該オリジナルコマンド信号を受信する受信機と、前記オリジナルコマンド信号を記憶するために前記受信機と結合したメモリーと、前記オリジナルコマンド信号を所望の命令と関連付ける回路と、前記所望の命令と関連付けるために前記メモリーに前記オリジナルコマンド信号をセーブ出来たことを示すフィードバック装置とから成り、前記フィードバック装置は、コマンド信号の記憶装置に関連する情報を表示する表示装置を含むことを特徴とする学習機能を有するリモートコントロール装置。
【請求項２１】  前記フィードバック装置の前記表示装置は、前記所望の命令用の第１のラベルを表示することを特徴とする請求項２０に記載の学習機能を有するリモートコントロール装置。
【請求項２２】  前記フィードバック装置は、前記表示装置は前記オリジナルコマンド用の第２のラベルを表示することを特徴とする請求項２１に記載の学習機能を有するリモートコントロール装置。
【請求項２３】  前記表示装置は、前記第１ラベルと第２ラベルを含むコマンドメニューを表示することを特徴とする請求項２２に記載の学習機能を有するリモートコントロール装置。
【請求項２４】  前記オリジナルコマンド信号は、テレビジョン制御信号またはコンピュータ制御信号であることを特徴とする請求項２０に記載の学習機能を有するリモートコントロール装置。
【手続補正３】
【補正対象書類名】明細書
【補正対象項目名】００１８
【補正方法】変更
【補正の内容】
【００１８】
請求項１０の発明は、請求項９の発明において、前記画像装置は、テレビジョンまたはビデオカセットレコーダ（ＶＣＲ）であることを特徴としたものである。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】変更
【補正の内容】
【００２０】
請求項１１の発明は、請求項８の発明において、前記第１の画像源は、コンピュータネットワークであることを特徴としたものである。
【手続補正６】
【補正対象書類名】明細書
【補正対象項目名】００２１
【補正方法】変更
【補正の内容】
【００２１】
請求項１２の発明は、請求項８の発明において、前記第１の画像源は、前記第２の画像信号に伴う第１音声信号も受信することを特徴としたものである。
【手続補正７】
【補正対象書類名】明細書
【補正対象項目名】００２２
【補正方法】変更
【補正の内容】
【００２２】
請求項１３の発明は、請求項８の発明において、前記第１の送信機と前記ＶＲＣ受信機は、略５.１５ＧＨｚから５.８５ＧＨｚの範囲の周波数で動作することを特徴としたものである。
【手続補正８】
【補正対象書類名】明細書
【補正対象項目名】００２３
【補正方法】変更
【補正の内容】
【００２３】
請求項１４の発明は、請求項８の発明において、前記第１の送信機と前記ＶＲＣ受信機は、略０.８μｍから１.２μｍの範囲の波長で動作することを特徴としたものである。
【手続補正９】
【補正対象書類名】明細書
【補正対象項目名】００２４
【補正方法】変更
【補正の内容】
【００２４】
請求項１５の発明は、請求項８の発明において、前記ＶＲＣ画像スクリーンは、前記ユーザによる選択のために前記制御信号に対応する前記ＶＲＣコントローラの入力オプションを表示することを特徴としたものである。
【手続補正１０】
【補正対象書類名】明細書
【補正対象項目名】００２５
【補正方法】変更
【補正の内容】
【００２５】
請求項１６の発明は、請求項１５の発明において、前記ＶＲＣ画像スクリーンは、前記ユーザが該ＶＲＣ画像スクリーン部分に触ることにより前記入力オプションを選択出来るような接触感応スクリーンであることを特徴としたものである。
【手続補正１１】
【補正対象書類名】明細書
【補正対象項目名】００２６
【補正方法】変更
【補正の内容】
【００２６】
請求項１７の発明は、請求項１５の発明において、前記ＶＲＣ画像スクリーン上の前記入力オプションの表示は、ソフトキーディスプレイであることを特徴としたものである。
【手続補正１２】
【補正対象書類名】明細書
【補正対象項目名】００２７
【補正方法】変更
【補正の内容】
【００２７】
請求項１８の発明は、請求項８の発明において、前記第１の送信機を含むドッキングステーションをさらに有することを特徴としたものである。
【手続補正１３】
【補正対象書類名】明細書
【補正対象項目名】００２８
【補正方法】変更
【補正の内容】
【００２８】
請求項１９の発明は、請求項１８の発明において、前記ドッキングステーションは、前記第２の送信機をさらに含むことを特徴としたものである。
【手続補正１４】
【補正対象書類名】明細書
【補正対象項目名】００２９
【補正方法】変更
【補正の内容】
【００２９】
請求項２０の発明は、オリジナルリモートコントロールのオリジナルコマンドに対応するオリジナルコマンド信号であって、オリジナルリモートコントロールによって送られた該オリジナルコマンド信号を受信する受信機と、前記オリジナルコマンド信号を記憶するために前記受信機と結合したメモリーと、前記オリジナルコマンド信号を所望の命令と関連付ける回路と、前記所望の命令と関連付けるために前記メモリーに前記オリジナルコマンド信号をセーブ出来たことを示すフィードバック装置とから成り、前記フィードバック装置は、コマンド信号の記憶装置に関連する情報を表示する表示装置を含むことを特徴としたものである。
【手続補正１５】
【補正対象書類名】明細書
【補正対象項目名】００３０
【補正方法】変更
【補正の内容】
【００３０】
請求項２１の発明は、請求項２０の発明において、前記フィードバック装置の前記表示装置は、前記所望の命令用の第１のラベルを表示することを特徴としたものである。
【手続補正１６】
【補正対象書類名】明細書
【補正対象項目名】００３１
【補正方法】変更
【補正の内容】
【００３１】
請求項２２の発明は、請求項２１の発明において、前記フィードバック装置は、前記表示装置は、前記オリジナルコマンド用の第２のラベルを表示することを特徴としたものである。
【手続補正１７】
【補正対象書類名】明細書
【補正対象項目名】００３２
【補正方法】変更
【補正の内容】
【００３２】
請求項２３の発明は、請求項２２の発明において、前記表示装置は、前記第１ラベルと第２ラベルを含むコマンドメニューを表示することを特徴としたものである。
【手続補正１８】
【補正対象書類名】明細書
【補正対象項目名】００３３
【補正方法】変更
【補正の内容】
【００３３】
請求項２４の発明は、請求項２０の発明において、前記オリジナルコマンド信号は、テレビジョン制御信号またはコンピュータ制御信号であることを特徴としたものである。
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】